(57)【要約】【課題】害虫駆除用製品の容積（サイズ）に対し、広範囲に亘って害虫駆除効果を発揮可能な害虫駆除用製品を提供する。【解決手段】昆虫忌避剤又は殺虫剤の少なくとも一方が含有された樹脂からなる製品本体１０を備え、製品本体１０は、平面上で渦巻き形状を維持可能であると共に、立体的な螺旋形状に変形可能であり、害虫駆除用製品１の容積（サイズ）に対し、広範囲に亘って害虫駆除効果を発揮可能な害虫駆除用製品である。【選択図】図３
2007306921.tif 000002
【特許請求の範囲】
【請求項１】
害虫を駆除する害虫駆除用製品であって、
昆虫忌避剤又は殺虫剤の少なくとも一方が含有された樹脂からなる製品本体を備え、
前記製品本体は、平面上で渦巻き形状を維持可能であると共に、立体的な螺旋形状に変形可能である害虫駆除用製品。
【請求項２】
前記製品本体は、立体的な螺旋形状から平面的な渦巻き形状に弾性復元する請求項１記載の害虫駆除用製品。
【請求項３】
前記製品本体に、前記害虫駆除用製品が取付けられる対象物に取付けられるための取付け部を設けた請求項１または請求項２記載の害虫駆除用製品。
【請求項４】
前記取付け部が、前記製品本体に形成された穴からなり、穴の外周部に、当該製品本体の厚さよりも厚い肉厚部を形成してなる請求項３記載の害虫駆除用製品。
【請求項５】
前記製品本体は、１本の連続した帯状体が前記渦巻き形状に形成されてなり、
前記肉厚部の厚さは、前記帯状体の一端から他端に亘って、当該帯状体の長手方向に略垂直な断面積が略均一となるよう設定されてなる請求項４記載の害虫駆除用製品。
【請求項６】
前記取付け部は、少なくとも前記製品本体の両端部に形成されてなる請求項３記載の害虫駆除用製品。
【請求項７】
前記製品本体を２つ備え、
前記各々の製品本体は、１本の連続した帯状体からなり、
前記一方の製品本体が平面上で渦巻き形状を維持した際に、当該渦巻き形状によって画定される渦巻き形状の空間に、他方の製品本体が配設されてなる請求項１または請求項２記載の害虫駆除用製品。
【請求項８】
前記製品本体の渦巻き形状が、当該渦巻き形状によって画定される渦巻き形状の空間と相補した形状である請求項７記載の害虫駆除用製品。
【請求項９】
前記渦巻き形状の外形が、略四角形である請求項１または請求項２記載の害虫駆除用製品。
【発明の詳細な説明】
【技術分野】
【０００１】
本発明は、害虫を忌避又は殺虫して駆除する効果（以下、単に「害虫駆除効果」という）を有し、当該害虫の被害に対し保護すべき対象物に対して適用される害虫駆除用製品に関する。
【背景技術】
【０００２】
従来から、例えば、トランス装置や信号機の制御装置等のような外部設置型の電気機器、あるいは自動車、自動二輪車、トラクタ等、屋外で使用される機械類や家屋等に害虫が集まり付いたり、電気機器内や家屋等に侵入することがある。特に、前述したような電気機器等の内部に害虫が侵入して巣を作ったり、機器の内部で死亡し、死骸が蓄積されると、気づかないうちに制御回路が電気的にショートしたり、あるいは絶縁されて機器の故障に至ることがある。そこで、電気機器等の内部を定期的に点検し、害虫の巣が形成されていたり、死骸がある場合には、これらを取り除くことが行われている。
【０００３】
特に、米国では、ファイアーアント（主に米国等で生息する赤蟻）等が、電気機器等の内部に侵入して巣を作ることがあるが、ファイヤーアントに噛まれると、噛まれた部分が火傷をしたようにふくれて激しい痛みと痒みを伴うため、電気機器等の内部を定期点検する際には注意が必要である。
【０００４】
また、毒性を有する害虫はその他にも数多く存在し、クモ、ムカデ等の節足動物や、昆虫類（蚊、蝿、ゴキブリ、シロアリ、ダニ、蚤、線虫、スズメバチ等の特定害虫）にも毒性を有するものがある。そのため、自動車、自動二輪車、トラクタ等、人間が操作し且つ屋外に停車する機会が多い機械類の他、家屋等に害虫が侵入しないよう、何らかの措置が必要とされている。
【０００５】
そこで、機器内に害虫が進入することを防止するため、種々の防御策が講じられている。例えば、２枚のテープ状シート基材に害虫駆除剤（防虫防除薬剤）を所定間隔で挟持固定し、テープシートの片面に粘着性をもたせて樹木等の植物に装着可能としたものがある。（例えば、特許文献１参照）。
【０００６】
また、害虫から保護すべき電気機器の内部に害虫が侵入するのを防止する害虫駆除用製品（害虫忌避用部品）が提案されている。この害虫駆除用製品は、害虫駆除成分が含有された樹脂からなり、電気機器のコネクタに接続された複数の配線に害虫駆除用製品を巻きつけるようにして束線させることで、複数の配線を１つにまとめることができると共に、前記樹脂から徐々に放出される害虫駆除成分の効果によって、前記配線を介して侵入してくる害虫から電気機器を保護するものである。（例えば、特許文献２参照）。
【０００７】
そしてまた、各種ケーブルを鳥虫獣類から保護するケーブル鳥虫獣害防止具も紹介されている。このようなケーブル鳥虫獣害防止具としては、弾性変形可能な弾性シートと金属製の保護部材とを積層してなる帯状シートを構成し、ケーブル等に螺旋状に巻きつけるもの等がある。（例えば、特許文献３参照）。
【特許文献１】特開平３−１０６３２号公報
【特許文献２】特開２００４−３５７５５３号公報
【特許文献３】特開２００３−１９９４７８号公報
【発明の開示】
【発明が解決しようとする課題】
【０００８】
ここで、害虫駆除用製品は、前述したように害虫駆除成分が含有された樹脂から形成されているが、この害虫駆除効果は、害虫駆除用製品、あるいはその周辺で効果的に発揮される。したがって、害虫駆除用製品の容積（サイズ）によって、害虫駆除効果が発揮される領域が決定することになる。このため、広い領域に亘って害虫駆除効果を発揮させたい場合は、複数の害虫駆除用製品を所定間隔で点在させる、あるいは、害虫駆除用製品の容積（サイズ）を大きくする等により対処している。
【０００９】
本発明は、このような事情に鑑みなされたものであり、害虫駆除用製品の容積（サイズ）に対し、広範囲に亘って害虫駆除効果を発揮可能な害虫駆除用製品を提供することを目的とする。
【課題を解決するための手段】
【００１０】
この目的を達成するため本発明は、害虫を駆除する害虫駆除用製品であって、昆虫忌避剤又は殺虫剤の少なくとも一方が含有された樹脂からなる製品本体を備え、前記製品本体は、平面上で渦巻き形状を維持可能であると共に、立体的な螺旋形状に変形可能である害虫駆除用製品を提供するものである。
【００１１】
この構成を備えた害虫駆除用製品は、昆虫忌避剤又は殺虫剤の少なくとも一方が含有された樹脂からなるため、害虫駆除効果を発揮することができる。また、この害虫駆除用製品は、平面上で渦巻き形状を維持可能であるため、かさばらず、コンパクトに保管（収納）することができ、携帯にも便利である。また、輸送（搬送）時に最小容積で梱包できるため、搬送コストも低減できる。そしてまた、この害虫駆除用製品は、立体的な螺旋形状に変形可能であるため、害虫駆除用製品自身の容積は小さくても、三次元空間の広範囲に亘って存在させることができる。したがって、広範囲に亘って害虫駆除効果を発揮させることができる。
【００１２】
なお、本発明にかかる害虫駆除用製品は、害虫駆除用製品の１箇所以上の所望位置を支持することで、当該害虫駆除用製品を立体的な螺旋形状に維持する形態であってもよく、当該害虫駆除用製品を所望の立体的な螺旋形状にした後は、害虫駆除用製品の所望位置を支持する等、特別な力を付与しなくても、その形状を維持する形態（いわゆる形状記憶型）であってもよい。
【００１３】
また、前記製品本体は、立体的な螺旋形状から平面的な渦巻き形状に弾性復元することができる。このようにすることで、害虫駆除用製品の１箇所以上の所望位置を支持することで、当該害虫駆除用製品を立体的な螺旋形状に維持する形態の場合、前記支持を解除するだけで簡単に元の形状（平面的な渦巻き形状）に戻すことができる。
【００１４】
さらに、前記製品本体が、前述したようないわゆる形状記憶型の場合は、さらに力が付与されることで、その形状を変形させることができ、変形した後は、特別な力を付与しなくても、その形状を維持することができる。
【００１５】
そしてまた、本発明にかかる害虫駆除用製品は、前記製品本体に、前記害虫駆除用製品が取付けられる対象物に、害虫駆除用製品を取付けるための取付け部を設けてもよい。このようにすることで、害虫駆除用製品は、立体的な螺旋形状を維持した状態で、前記対象物に簡単に取付けることができる。
【００１６】
前記製品本体に前記取付け部を設ける場合、この取付け部は、前記製品本体に形成された穴から形成することができ、この穴の外周部には、当該製品本体の厚さよりも厚い肉厚部を形成することができる。ここで、前記製品本体の厚さが一定の場合は、これらの穴が形成された部分において、穴の開放方向に沿って切った断面の面積が小さくなるが、前記肉厚部によって、前記小さくなった分の断面積を補充することができる。
【００１７】
さらにこの構成の場合、前記製品本体は、１本の連続した帯状体を前記渦巻き形状に形成し、前記肉厚部の厚さは、前記帯状体の一端から他端に亘って、当該帯状体の長手方向に略垂直な断面積（穴の開放方向に沿って切った断面の面積）が略均一となるよう設定することが好ましい。このように構成することで、前記利点に加え、害虫駆除用製品全体に亘って、ほぼ均一な害虫駆除効果を発揮させることができる。
【００１８】
なお、前記取付け部は、少なくとも前記製品本体の両端部に形成することができる。
【００１９】
そしてまた、本発明にかかる害虫駆除用製品は、前記製品本体を２つ備え、これら各々の製品本体は、１本の連続した帯状体からなり、前記一方の製品本体が平面上で渦巻き形状を維持した際に、当該渦巻き形状によって画定される渦巻き形状の空間に、他方の製品本体が配設されるよう構成することができる。このような構成を備えることで、前記利点に加え、害虫駆除用製品を経済的に効率よく製造することができる。例えば、昆虫忌避剤又は殺虫剤の少なくとも一方が含有された１枚の樹脂シートを打ち抜くことで、渦巻き形状を有する製品本体製造する場合、当該渦巻き形状によって画定される渦巻き形状の空間となる部分を、もう一つの害虫駆除用製品の製品本体として利用することができる。さらにまた、害虫駆除用製品を保管したり、携帯したりする際には、２つの害虫駆除用製品を、一つの害虫駆除用製品を保管したり、携帯したりする場合とほぼ同様の空間で行うことができる。
【００２０】
また、この構成の場合、前記製品本体の渦巻き形状が、当該渦巻き形状によって画定される渦巻き形状の空間と相補した形状となるよう構成することができる。
【００２１】
なお、前記渦巻き形状の外形は、略円形、略三角形、略四角形、略五角形以上の多角形等、特に限定するものではないが、略四角形とすることが製造上、保管上、携帯上等の点でより有利である。
【発明の効果】
【００２２】
本発明にかかる害虫駆除用製品は、昆虫忌避剤又は殺虫剤の少なくとも一方が含有された樹脂からなるため、害虫駆除効果を発揮することができる。また、この害虫駆除用製品は、平面上で渦巻き形状を維持可能であるため、かさばらず、コンパクトに保管（収納）することができ、携帯にも便利であり、輸送（搬送）時に最小容積で梱包できるため、搬送コストも低減できる。そしてまた、この害虫駆除用製品は、立体的な螺旋形状に変形可能であるため、害虫駆除用製品自身の容積は小さくても、三次元空間の広範囲に亘って存在させることができる。この結果、広範囲に亘って害虫駆除効果を発揮させることができる。
【発明を実施するための最良の形態】
【００２３】
次に、本発明の好適な実施の形態にかかる害虫駆除用製品について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２４】
図１は、本発明の実施の形態にかかる害虫駆除用製品の平面図、図２は、図１に示す害虫駆除用製品の矢印Ｘ方向から見た側面図、図３は、図１に示す害虫駆除用製品を立体的な螺旋形状にした状態を示す斜視図、図４は、図３に示す害虫駆除用製品を立体的でさらに複雑な螺旋形状にした状態を示す斜視図、図５は、図４に示す害虫駆除用製品をトランスの内部に配設した状態を示す模式図、図６は、図４に示す害虫駆除用製品をトランスの内部に配設した他の状態を示す模式図、図７は、図４に示す害虫駆除用製品をトランスの内部に配設する際に使用する固定具の斜視図、図８は、図７に示す固定具をトランスの内壁に固定した状態を示す断面図、図９は、図７に示す固定具の使用状態を示す断面図である。
【００２５】
図１〜図９に示すように、本発明の実施の形態にかかる害虫駆除用製品１は、昆虫忌避剤又は殺虫剤の少なくとも一方が含有された樹脂からなる１本の連続した帯状体を、平面上で渦巻き形状（図１及び図２参照）を備えると共に、立体的な螺旋形状（図３〜図６参照）に変形可能である製品本体１０を備えている。
【００２６】
製品本体１０は、その両端部に、害虫駆除用製品１が取付けられる対象物としてのトランス１００のハウジング１１０（図５及び図６参照）に、害虫駆除用製品１を取付けるための穴１１及び１２が各々形成されている。穴１１及び１２の外周部には、製品本体１０の厚さよりも厚い肉厚部１３が各々形成されている。また、製品本体１０の一端部から他端部までの間にも、トランス１００のハウジング１１０に、害虫駆除用製品１を取付けるための穴１５が、互いに間隔をおいて２箇所成されている。穴１５の外周部には、穴１５を挟むように、製品本体１０の厚さよりも厚い肉厚部１６Ａ及び１６Ｂが形成されている。
【００２７】
これらの肉厚部１３、１６Ａ及び１６Ｂは、以下の目的のために形成されている。すなわち、製品本体１０に穴１１、１２及び１５を形成すると、製品本体１０の厚さが一定の場合は、これらの部分において、穴１１、１２及び１５の開放方向に沿って切った断面の面積が、各々小さくなるが、肉厚部１３、１６Ａ及び１６Ｂによって、前記小さくなった分の断面積を補充することができる。したがって、製品本体１０に穴１１、１２及び１５が形成されていても、製品本体１０の穴の開放方向に略平行な断面積をほぼ均一にすることができ、害虫駆除用製品１の全体に亘って、ほぼ均一な害虫駆除効果を発揮させることができる。
【００２８】
なお、害虫駆除用製品１は、後に詳述するが、穴１１、１２及び１５に、トランス１００のハウジング１１０の内壁１１３〜１１６に固定される固定具２００（図７〜図９参照）のベルト部２０６を挿入することで、ベルト部２０６を介してハウジング１１０の内壁１１３〜１１６に支持されて、所望の立体的な螺旋形状（図３〜図６参照）を維持し、この状態でハウジング１１０内に配設される。このように、害虫駆除用製品１は、所望の立体的な螺旋形状となることで、害虫駆除用製品１自身の容積が小さくても、三次元空間の広範囲に亘って存在可能となる。したがって、広範囲に亘って害虫駆除効果を発揮させることができる。
【００２９】
そして、穴１１、１２及び１５からベルト部２０６を取り外すことで、害虫駆除用製品１の製品本体１０が解放されて、製品本体１０は、前記立体的な螺旋形状から平面的な渦巻き形状に弾性復元する。このため、保管したり、携帯に便利である。
【００３０】
次に、害虫駆除用製品１を形成する樹脂に含有される昆虫忌避剤又は殺虫剤について説明する。昆虫忌避剤又は殺虫剤としては、昆虫の除去活性を有する薬剤であり、昆虫忌避活性を有する化合物、殺傷昆虫活性を有する化合物、昆虫の摂食阻害活性、昆虫の成長コントロール活性を有する化合物等を挙げることができる。
【００３１】
具体的には、ピレスロイド系化合物、カーバメート系化合物、有機リン系化合物及びこれらの異性体、誘導体、類縁体その他昆虫の成長をコントロールする活性を有する化合物等を挙げることができる。
【００３２】
また、前記昆虫忌避剤又は殺虫剤が含有される部品を構成する樹脂としては、ポリアセタール樹脂、ポリアミド樹脂の少なくとも１種の樹脂が選択される。
【００３３】
さらに、この樹脂には、当該樹脂に対して昆虫忌避剤又は殺虫剤を溶解保持し、徐放性を付与する化合物を含めることがより好ましい。この昆虫忌避剤又は殺虫剤を溶解保持し、徐放性を付与する化合物としては、例えば、スルホンアミド誘導体、スルホン酸エステル誘導体、カルボン酸アミド誘導体、カルボン酸エステル誘導体より選ばれる少なくとも１種の化合物を挙げることができる。
【００３４】
このように、徐放性を付与する化合物を樹脂に含有させることにより、害虫駆除用製品１から前記昆虫忌避剤又は殺虫剤を長期間にわたり放出することが可能となる。なお、本実施形態にかかる害虫駆除用製品１の害虫の忌避又は殺虫効果は、約１０年間持続させることが可能である。
【００３５】
本実施の形態にかかる害虫駆除用製品１は、射出成形等の公知の成形方法により成形することができる。
【００３６】
次に、害虫駆除用製品１をトランス１００のハウジング１１０の内壁に固定するための固定具２００の構成について説明する。
【００３７】
固定具２００は、図７〜図９に示すように、ベース２０１と、ベース２０１の表面２１０の一端部から立設したベルト部２０６と、ベース２０１の表面２１０の他端部に形成され、ベルト部２０６の自由端側を係止して固定する係止部２１２と、係止部２１２の前記一端部側近傍に形成され、ベルト部２０６の自由端側をガイドするガイド部２１３Ａ及び２１３Ｂと、を備えている。
【００３８】
ベース２０１は、平面視が略長方形の板状部材からなり、その裏面には、粘着層２１８が形成されており、この粘着層２１８の表面は、離型紙２１９によって覆われている。この粘着層２１８は、離型紙２１９を剥がすことで、露出され、固定具２００を、ハウジング１１０の内壁等、所望の対象物に固定するためのものである。また、ベース２０１の略中央部には、ピンやねじ等が挿入される穴２１７が形成されており、所望により、この穴２１７に挿入したピンやねじ等によって、固定具２００をハウジング１１０の内壁等に固定する。
【００３９】
ベルト部２０６は、所望の長さを有し、図９に示すように湾曲可能となっている。このベルト部２０６には、その長手方向に沿って、複数の係止穴２０４が、互いに所望の間隔をおいて形成されている。
【００４０】
係止部２１２は、フック状を有し、ベルト部２０６の係止穴２０４に係合することで、ベルト部２０６を固定するよう形成されている。
【００４１】
ガイド部２１３Ａ及び２１３Ｂは、ベース２０１の表面２１０と間隔をおいて配設され且つ表面２１０に対し平行な平行面２１４Ａ及び２１４Ｂと、平行面２１４Ａ及び２１４Ｂに連続形成され且つ平行面２１４Ａ及び２１４Ｂから略垂直に延出してベース２０１の表面２１０に固定される垂直面２１５Ａ及び２１５Ｂを各々有した略Ｌ字状を備え、互いに対象的に向かい合った状態で、互いに間隔をおいて配設されている。
【００４２】
次に、本実施の形態にかかる害虫駆除用製品１を、トランス１００のハウジング１１０内に配設する方法について説明する。
【００４３】
図５及び図６に示すように、トランス１００は、ハウジング１１０内に複数の配線１２０や、その他所望の図示しない機器が配設されている。ハウジング１１０は、地面に載置される下部ボックス１１１と、下部ボックス１１１に設けられた蓋１１２とを有している。
【００４４】
先ず、害虫駆除用製品１を、設置すべきトランス１００まで携帯する。この時、害虫駆除用製品１は、図１に示すように、平面上で渦巻き形状を維持しているため、携帯に便利であると共に、保管場所を取ることもない。
【００４５】
次に、害虫駆除用製品１の製品本体１０の両端部に形成された穴１１及び１２に、固定具２００のベルト部２０６を挿入し、その後、ベルト部２０６の自由端を、図９に示すように、ガイド部２１３Ａ及び２１３Ｂの平行面２１４Ａ及び２１４Ｂと、ベース２０１の表面２１０との間を通過させる。次いで、ベルト部２０６に形成されている複数の係止穴２０４のいずれかを係止部２１２に係合させて、ベルト部２０６を係止部２１２に固定することで、製品本体１０の両端部に固定具２００を固定する。
【００４６】
次に、図５に示すように、害虫駆除用製品１の穴１１に固定した固定具２００を、下部ボックス１１１の下部に配設されている内壁１１３の所望位置に固定する。この時、固定具２００の離型紙２１９を剥がし、粘着層２１８を内壁１１３に押し付けることで、固定具２００は簡単に内壁１１３に固定される。なお、所望により、固定具２００に形成された穴２１７にピンやねじ等を挿入し、これらによって固定具２００を内壁１１３に、さらに強固に固定させてもよい。
【００４７】
次に、害虫駆除用製品１の穴１２に固定した固定具２００を、前記と同様の方法で、下部ボックス１１１の正面壁１１５の上部角部に固定する。この時、害虫駆除用製品１は、立体的な螺旋形状に変形され、下部ボックス１１１の内壁１１３と、下部ボックス１１１の正面壁１１５の上部角部に支持されて、この立体的な螺旋形状を維持することになる。
【００４８】
下部ボックス１１１の内壁１１３と対向配置された内壁１１４、及び正面壁１１５のもう一方の上部角部にも同様の方法で、害虫駆除用製品１を配設する。
【００４９】
このように、トランス１００のハウジング１１０内に害虫駆除用製品１を配設することで、広範囲に亘って害虫駆除効果を発揮することができ、ハウジング１１０内に害虫が侵入し、巣を形成することを防止することができる。
【００５０】
また、固定具２００は、前記の他、害虫駆除用製品１の製品本体１０に形成された穴１５にも取付けてもよい。この場合、穴１５に取付けられた固定具２００は、図６に示すように、配線１２０に固定してもよい。
【００５１】
なお、本実施の形態では、害虫駆除用製品１の製品本体１０に４つの穴１１、１２及び１５を形成した場合について説明したが、これに限らず、製品本体１０に形成する穴の設置箇所、設置数等は、所望により決定することができる。
【００５２】
例えば、害虫駆除用製品１の一方の端部を正面壁１１５の上部角部に配設する変わりに、蓋１１２の内壁に配設してもよい。この場合、蓋１１２が閉じられた場合、害虫駆除用製品１は、蓋１１２が開けられている状態の時とは立体的な螺旋形状が異なる立体的な螺旋形状を維持した状態で、ハウジング１１０内に配置されることになる。
【００５３】
また、本実施の形態では、対象物（本実施の形態では、ハウジング１１０）に取付けられるための取付け部として、製品本体１０に穴を形成した場合について説明したが、これに限らず、前記取付け部は、製品本体１０にフック等、他の形状を有する取付け部を形成しておいてもよい。あるいは、図１０に示すように、取付け部を形成しなくてもよい。この場合は、例えば、図１１に示すように、配線１２０にフック２１１付きの固定具２００を取付けて、フック２１１に製品本体１０を引っ掛けることで、害虫駆除用製品１を配線１２０に配設してもよい。
【００５４】
さらにまた、本実施の形態では、害虫駆除用製品１をトランス１００のハウジング１１０内に配設した場合について説明したが、これに限らず、害虫駆除用製品１は、害虫が侵入したり、集まり付くことを防止したい対象物全般亘って広く使用することができることは勿論である。例えば、ハウジングや屋内に限らず、スズメバチ等の巣が作られそうな空間に、本発明にかかる害虫駆除用製品を配置しておくことにより、スズメバチ等の巣が形成されることを防止することもできる。また、害虫駆除用製品１の設置数は、所望により決定することができるが、本発明にかかる害虫駆除用製品１は、害虫駆除用製品１自身の容積は小さくても、三次元空間の広範囲に亘って存在させることができるため、従来の害虫駆除用製品に比べ、少ない設置数であっても、十分な害虫駆除効果を発揮することができる。
【００５５】
そしてまた、本実施の形態では、害虫駆除用製品１の製品本体１０の長さ、幅、厚さ等は、所望により決定することができる。
【００５６】
また、本発明にかかる害虫駆除用製品は、図１２に示すように、製品本体を２つ備えていてもよい。すなわち、図１２に示す害虫駆除用製品２は、平面上で渦巻き形状を維持可能であると共に、立体的な螺旋形状に変形可能である製品本体１０Ａ（図１２及び図１３参照）及び製品本体１０Ｂ（図１２及び図１４参照）を備えている。そして、製品本体１０Ａの渦巻き形状によって画定される渦巻き形状の空間に、製品本体１０Ｂが嵌められた状態で配設されている。なお、製品本体１０Ａ及び１０Ｂの形状は、製品本体１０とほぼ同様の部材であるため、その詳細な説明は省略するが、これらの製品本体１０Ａ及び１０Ｂには、取付け部として、複数の穴１５が形成されており、その外周部には、穴１５を挟むように、製品本体１０の厚さよりも厚い肉厚部１６Ａ及び１６Ｂが形成されている。
【００５７】
このように、図１２〜１４に示す製品本体１０Ａ及び１０Ｂは、肉厚部１６Ａ及び１６Ｂが、その幅から外部に突出していないため、図１２に示すように組み合わせることができる。この構成を備えた害虫駆除用製品２は、例えば、昆虫忌避剤又は殺虫剤の少なくとも一方が含有された１枚の樹脂シートを打ち抜く等の方法で簡単に形成することができ、材料に無駄が無く、経済的に効率よく製造することができる。さらにまた、害虫駆除用製品を保管したり、携帯したりする際には、２つの害虫駆除用製品を、一つの害虫駆除用製品を保管したり、携帯したりする場合とほぼ同様の空間で行うことができ、スペースを有効に活用することができる。
【図面の簡単な説明】
【００５８】
【図１】本発明の実施の形態にかかる害虫駆除用製品の平面図である。
【図２】図１に示す害虫駆除用製品の矢印Ｘ方向から見た側面図である。
【図３】図１に示す害虫駆除用製品を立体的な螺旋形状にした状態を示す斜視図である。
【図４】図３に示す害虫駆除用製品を立体的でさらに複雑な螺旋形状にした状態を示す斜視図である。
【図５】図４に示す害虫駆除用製品をトランスの内部に配設した状態を示す模式図である。
【図６】図４に示す害虫駆除用製品をトランスの内部に配設した他の状態を示す模式図である。
【図７】図４に示す害虫駆除用製品をトランスの内部に配設する際に使用する固定具の斜視図である。
【図８】図７に示す固定具をトランスの内壁に固定した状態を示す断面図である。
【図９】図７に示す固定具の使用状態を示す断面図である。
【図１０】本発明の他の実施の形態にかかる害虫駆除用製品の平面図である。
【図１１】本発明の他の実施の形態にかかる害虫駆除用製品の取付け方法を示す模式図である。
【図１２】本発明の他の実施の形態にかかる害虫駆除用製品の平面図である。
【図１３】図１２に示す一方の製品本体を示す平面図である。
【図１４】図１２に示す他方の製品本体を示す平面図である。
【符号の説明】
【００５９】
１、２    害虫駆除用製品
１０、１０Ａ、１０Ｂ    製品本体
１１、１２、１５    穴
１３、１６Ａ    肉厚部
１００    トランス
１１０    ハウジング
２００    固定具
【図１】
2007306921.tif 000003
【図２】
2007306921.tif 000004
【図３】
2007306921.tif 000005
【図４】
2007306921.tif 000006
【図５】
2007306921.tif 000007
【図６】
2007306921.tif 000008
【図７】
2007306921.tif 000009
【図８】
2007306921.tif 000010
【図９】
2007306921.tif 000011
【図１０】
2007306921.tif 000012
【図１１】
2007306921.tif 000013
【図１２】
2007306921.tif 000014
【図１３】
2007306921.tif 000015
【図１４】
2007306921.tif 000016